【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
被験体において動静脈瘻の成熟を監視するためのシステムであって、該瘻は内腔を規定し、
高周波数超音波画像化システムを含み、該高周波数超音波画像化システムは、該瘻の壁厚と、該瘻の内腔の直径または半径を測定するように構成されている、システム。
【請求項２】
前記被験体の血圧を測定する手段をさらに含む、請求項１に記載のシステム。
【請求項３】
前記測定された壁厚、前記瘻の直径、および前記血圧から該瘻の周囲血管壁応力を決定する手段をさらに含む、請求項２に記載のシステム。
【請求項４】
前記瘻の前記周囲血管応力を決定する手段は、以下の式
【数３】
2009538644.tif 000001
を用い、ここでσは該周囲壁応力であり、Ｐは前記圧力であり、Ｒは前記血管半径であり、ｈは前記壁厚である、請求項３に記載のシステム。
【請求項５】
前記決定された周囲血管応力を所定の閾値応力と比較する手段をさらに含む、請求項３に記載のシステム。
【請求項６】
前記決定された周囲血管応力を比較する前記手段は、該周囲血管応力が、前記所定の閾値応力より小さいか、または等しいかを決定する、請求項５に記載のシステム。
【請求項７】
前記瘻が成熟していることをオペレータに通知する手段をさらに含む、請求項６に記載のシステム。
【請求項８】
前記決定された周囲血管応力を比較する前記手段は、該周囲血管応力が、前記所定の閾値応力より大きいか否かを決定する、請求項５に記載のシステム。
【請求項９】
前記瘻が成熟していないことをオペレータに通知する手段をさらに含む、請求項８に記載のシステム。
【請求項１０】
前記所定の応力は、約７．００Ｅ＋０４〜２．８０Ｅ＋０５である、請求項５に記載のシステム。
【請求項１１】
前記所定の応力は、約７．００Ｅ＋０４〜１．４０Ｅ＋０５である、請求項５に記載のシステム。
【請求項１２】
前記所定の応力は、約７．００Ｅ＋０４以下である、請求項５に記載のシステム。
【請求項１３】
被験体における動静脈瘻の成熟を監視するためのシステムであって、該瘻は内腔を規定し、
該瘻の血管壁厚および血管内腔直径の両方を決定するように構成されている高周波数超音波画像化システムと、
血管壁圧と血管内腔直径との比率を所定の閾値と比較する手段と
を含み、決定された比率が該閾値より大きい場合は成熟動静脈瘻を示す、システム。
【請求項１４】
前記動静脈瘻に関連する血流速度を測定するように構成されているドップラ超音波画像化システムをさらに含む、請求項１３に記載のシステム。
【請求項１５】
前記測定された血流速度を前記決定された血管壁厚および血管内腔の直径とともに分析する手段をさらに含む、請求項１４に記載のシステム。
【請求項１６】
被験体における動静脈瘻の成熟を監視するためのシステムであって、該瘻は内腔を規定し、
少なくとも１０（メガヘルツ）ＭＨｚの中心周波数を有する高周波数超音波画像化システムと、
該高周波数超音波画像化システムを使用し、該瘻の壁厚を測定するための手段と、
該高周波数超音波画像化システムを使用し、該瘻の内腔の直径を測定するための手段と、
該被験体の血圧を測定するための手段と
を含む、システム。
【請求項１７】
プロセッサと、前記測定された壁厚、前記内腔の直径、および血圧を該プロセッサに送信するための手段と、をさらに含む、請求項１６に記載のシステム。
【請求項１８】
前記プロセッサは、該プロセッサに送信された前記測定された壁厚、前記内腔の直径、および血圧を処理し、前記瘻の周囲血管壁応力を決定する、請求項１７に記載のシステム。
【請求項１９】
前記プロセッサは、前記決定された周囲血管応力を所定の閾値応力と比較する、請求項１８に記載のシステム。
【請求項２０】
前記プロセッサは、前記決定された周囲血管応力が前記所定の閾値応力より小さいか、または等しいかを決定し、前記瘻が成熟しているという通知をオペレータに出力する、請求項１９に記載のシステム。
【請求項２１】
前記プロセッサは、前記決定された周囲血管応力が前記所定の閾値応力より大きいかどうかを決定し、前記瘻が成熟していないという通知をオペレータに出力する、請求項１９に記載のシステム。
【請求項２２】
前記所定の応力は、約７．００Ｅ＋０４〜２．８０Ｅ＋０５である、請求項１９に記載のシステム。
【請求項２３】
前記所定の応力は、約７．００Ｅ＋０４〜１．４０Ｅ＋０５である、請求項１９に記載のシステム。
【請求項２４】
前記所定の応力は、約７．００Ｅ＋０４以下である、請求項１９に記載のシステム。
【手続補正２】
【補正対象書類名】明細書
【補正対象項目名】０００５
【補正方法】変更
【補正の内容】
【０００５】
添付の図面は、本明細書に組み込まれてその一部を構成し、以下に記載の幾つかの側面を説明し、その記述とともに、本発明の原理を説明する。
例えば、本発明は、以下の項目を提供する。
（項目１）
被験体において動静脈瘻の成熟を監視するための方法であって、該瘻は内腔を規定し、
高周波数超音波画像化システムを使用し、該瘻の壁厚を測定するステップと、
該高周波数超音波画像化システムを使用し、該瘻の内腔の直径または半径を測定するステップと
を含む、方法。
（項目２）
上記被験体の血圧を測定するステップをさらに含む、項目１に記載の方法。
（項目３）
上記測定された壁厚、上記瘻の直径、および上記血圧から該瘻の周囲血管壁応力を決定するステップをさらに含む、項目２に記載の方法。
（項目４）
上記瘻の周囲血管応力は、以下の式
【数４】
2009538644.tif 000002
により決定され、ここでσは該周囲壁応力であり、Ｐは上記圧力であり、Ｒは上記血管半径であり、ｈは上記壁厚である、項目３に記載の方法。
（項目５）
上記決定された周囲血管応力を所定の閾値応力と比較するステップをさらに含む、項目３に記載の方法。
（項目６）
上記決定された周囲血管応力が上記所定の閾値応力より小さいか、または等しいかを決定するステップをさらに含む、項目５に記載の方法。
（項目７）
上記瘻が成熟していることをオペレータに通知するステップをさらに含む、項目６に記載の方法。
（項目８）
上記決定された周囲血管応力が上記所定の閾値応力より大きいかどうかを決定するステップをさらに含む、項目５に記載の方法。
（項目９）
上記瘻が成熟していないことをオペレータに通知するステップをさらに含む、項目８に記載の方法。
（項目１０）
上記所定の応力は、約７．００Ｅ＋０４〜２．８０Ｅ＋０５である、項目５に記載の方法。
（項目１１）
上記所定の応力は、約７．００Ｅ＋０４〜１．４０Ｅ＋０５である、項目５に記載の方法。
（項目１２）
上記所定の応力は、約７．００Ｅ＋０４以下である、項目５に記載の方法。
（項目１３）
被験体における動静脈瘻の成熟を監視するための方法であって、該瘻は内腔を規定し、
高周波数超音波画像化システムを使用し、該瘻の血管壁厚および血管内腔直径の両方を決定するステップと、
血管壁圧と血管内腔直径との比率を所定の閾値と比較するステップと
を含み、決定された比率が該閾値より大きい場合は成熟動静脈瘻を示す、方法。
（項目１４）
ドップラ超音波画像化システムを使用し、上記動静脈瘻に関連する血流速度を測定するステップをさらに含む、項目１３に記載の方法。
（項目１５）
上記測定された血流速度を上記決定された血管壁厚および血管内腔の直径とともに分析するステップをさらに含む、項目１４に記載の方法。
（項目１６）
被験体における動静脈瘻の成熟を監視するためのシステムであって、該瘻は内腔を規定し、
少なくとも１０（メガヘルツ）ＭＨｚの中心周波数を有する高周波数超音波画像化システムと、
該高周波数超音波画像化システムを使用し、該瘻の壁厚を測定するための手段と、
該高周波数超音波画像化システムを使用し、該瘻の内腔の直径を測定するための手段と、
該被験体の血圧を測定するための手段と
を含む、システム。
（項目１７）
プロセッサと、上記測定された壁厚、上記内腔の直径、および血圧を該プロセッサに送信するための手段と、をさらに含む、項目１６に記載のシステム。
（項目１８）
上記プロセッサは、該プロセッサに送信された上記測定された壁厚、上記内腔の直径、および血圧を処理し、上記瘻の周囲血管壁応力を決定する、項目１７に記載のシステム。
（項目１９）
上記プロセッサは、上記決定された周囲血管応力を所定の閾値応力と比較する、項目１８に記載のシステム。
（項目２０）
上記プロセッサは、上記決定された周囲血管応力が上記所定の閾値応力より小さいか、または等しいかを決定し、上記瘻が成熟しているという通知をオペレータに出力する、項目１９に記載のシステム。
（項目２１）
上記プロセッサは、上記決定された周囲血管応力が上記所定の閾値応力より大きいかどうかを決定し、上記瘻が成熟していないという通知をオペレータに出力する、項目１９に記載のシステム。
（項目２２）
上記所定の応力は、約７．００Ｅ＋０４〜２．８０Ｅ＋０５である、項目１９に記載のシステム。
（項目２３）
上記所定の応力は、約７．００Ｅ＋０４〜１．４０Ｅ＋０５である、項目１９に記載のシステム。
（項目２４）
上記所定の応力は、約７．００Ｅ＋０４以下である、項目１９に記載のシステム。